(57)【要約】【課題】本考案は、車両のメモリーを保持したまま容易にバッテリーを交換することができるバックアップケーブルを提供することを目的とするものである。【解決手段】本考案は、新バッテリーの電極に取り付けるリング型金具と、一端が前記リング型金具に着脱可能な接続端子であり他端が旧バッテリーの電極に接続されたターミナルに取り付けるワニ口クリップであるバックアップケーブルと、前記ワニ口クリップをターミナルに縛り付ける結束バンドとからなり、前記リング型金具を介して新バッテリーに接続した前記バックアップケーブルを前記結束バンドを用いてターミナルに接続しておくことで、新バッテリーで通電を維持したままターミナルを旧バッテリーの電極から新バッテリーの電極に繋ぎ換えることを特徴とするバッテリー交換時のバックアップケーブルセットの構成とした。【選択図】図１
0003147755.tif 000002
【実用新案登録請求の範囲】
【請求項１】
新バッテリーの電極に取り付けるリング型金具と、一端が前記リング型金具に着脱可能な接続端子であり他端が旧バッテリーの電極に接続されたターミナルに取り付けるワニ口クリップであるバックアップケーブルと、前記ワニ口クリップをターミナルに縛り付ける結束バンドとからなり、前記リング型金具を介して新バッテリーに接続した前記バックアップケーブルを前記結束バンドを用いてターミナルに接続しておくことで、新バッテリーで通電を維持したままターミナルを旧バッテリーの電極から新バッテリーの電極に繋ぎ換えることを特徴とするバッテリー交換時のバックアップケーブルセット。
【請求項２】
ケーブルに通電を確認するためのＬＥＤライトを取り付けたことを特徴とする請求項１に記載のバッテリー交換時のバックアップケーブルセット。
【請求項３】
ケーブルに短絡事故を防止するためのヒューズを取り付けたことを特徴とする請求項１又は請求項２に記載のバッテリー交換時のバックアップケーブルセット。
【考案の詳細な説明】
【技術分野】
【０００１】
本考案は、車両のメモリーを保持したまま容易にバッテリーを交換することができるバックアップケーブルに関するものである。
【背景技術】
【０００２】
最近の車両は電子化が進んでおり、時計だけでなく、オーディオやカーナビゲーションシステムその他エンジン等を制御するコンピュータのメモリー維持のために電源が供給されているが、バッテリーを交換する間は電源の供給が途絶えてしまう。
【０００３】
メモリー消失やエンジン始動不能などのトラブルを避けるため、設備の整った店舗でバッテリーを交換するケースが多いが、バックアップ電源装置を用いて自分で交換する個人ユーザーもいる。
【０００４】
特許文献１に記載されているように、自動車のシガーライタソケットに差し込むプラグを自動車に積載したバッテリーと同電圧のバックアップ電源に接続したバックアップ電源装置の発明も公開されている。
【特許文献１】特開平１１−０２０５７５号公報
【考案の開示】
【考案が解決しようとする課題】
【０００５】
しかしながら、特許文献１に記載の発明は、交換する新バッテリーの他に別途バックアップ電源装置を購入し、シガーライタソケット等に接続しておくが、予め車両にシガーライタソケットから各機能に電源を安全に供給する機構が備わっている必要がある。
【０００６】
尚、シガーライタソケットにはＡＣＣ（アクセサリー電源）の状態で接続するが、セキュリティシステムやＡＢＳ（アンチロックブレーキシステム）やエアバッグシステム等の回路にも電流が流れているので、バックアップに失敗する場合もある。
【０００７】
そこで、本考案は、車両のメモリーを保持したまま容易にバッテリーを交換することができるバックアップケーブルを提供することを目的とするものである。
【課題を解決するための手段】
【０００８】
本考案は、上記の課題を解決するために、新バッテリーの電極に取り付けるリング型金具と、一端が前記リング型金具に着脱可能な接続端子であり他端が旧バッテリーの電極に接続されたターミナルに取り付けるワニ口クリップであるバックアップケーブルと、前記ワニ口クリップをターミナルに縛り付ける結束バンドとからなり、前記リング型金具を介して新バッテリーに接続した前記バックアップケーブルを前記結束バンドを用いてターミナルに接続しておくことで、新バッテリーで通電を維持したままターミナルを旧バッテリーの電極から新バッテリーの電極に繋ぎ換えることを特徴とするバッテリー交換時のバックアップケーブルセットの構成とした。
【考案の効果】
【０００９】
本考案は、新バッテリーに付属したバックアップケーブルを用いることで、個人ユーザーでも容易にバッテリーを交換することができ、各種メモリーが消失することで生じる不具合を無くすことができる。
【考案を実施するための最良の形態】
【００１０】
本考案は、車両のメモリーを保持したまま容易にバッテリーを交換するという目的を、新バッテリーの電極に取り付けるリング型金具と、一端が前記リング型金具に着脱可能な接続端子であり他端が旧バッテリーの電極に接続されたターミナルに取り付けるワニ口クリップであるバックアップケーブルと、前記ワニ口クリップをターミナルに縛り付ける結束バンドとからなり、前記リング型金具を介して新バッテリーに接続した前記バックアップケーブルを前記結束バンドを用いてターミナルに接続しておくことで、新バッテリーで通電を維持したままターミナルを旧バッテリーの電極から新バッテリーの電極に繋ぎ換えることを特徴とするバッテリー交換時のバックアップケーブルセットにより実現した。
【実施例１】
【００１１】
以下に、添付図面に基づいて、本考案であるバッテリー交換時のバックアップケーブルセットについて詳細に説明する。図１は、本考案であるバッテリー交換時のバックアップケーブルセットの構成を示す図である。
【００１２】
バッテリー交換時のバックアップケーブルセット１は、新バッテリー５のプラス電極５ａに取り付けるプラス側のリング型金具３と、新バッテリー５のマイナス電極５ｂに取り付けるマイナス側のリング型金具３と、一端がプラス側のリング型金具３に着脱可能な接続端子６であり他端が旧バッテリー１７のプラス電極１７ａに接続されたプラス側のターミナル１８に取り付けるワニ口クリップ７であるプラス側のバックアップケーブル２と、一端がマイナス側のリング型金具３に着脱可能な接続端子６であり他端が旧バッテリー１７のマイナス電極１７ｂに接続されたターミナル１８に取り付けるワニ口クリップ７であるマイナス側のバックアップケーブル２と、プラス側のワニ口クリップ７をプラス側のターミナル１８に縛り付けるプラス側の結束バンド４と、マイナス側のワニ口クリップ７をマイナス側のターミナル１８に縛り付けるマイナス側の結束バンド４とからなる。
【００１３】
そして、プラス側のリング型金具３を介して新バッテリー５に接続したプラス側のバックアップケーブル２をプラス側の結束バンド４を用いてプラス側のターミナル１８に接続すると共に、マイナス側のリング型金具３を介して新バッテリー５に接続したマイナス側のバックアップケーブル２をマイナス側の結束バンド４を用いてマイナス側のターミナル１８に接続しておくことで、新バッテリー５で通電を維持したまま、プラス側のターミナル１８を旧バッテリー１７のプラス電極１７ａから新バッテリー５のプラス電極５ａに繋ぎ換え、マイナス側のターミナル１８を旧バッテリー１７のマイナス電極１７ｂから新バッテリー５のマイナス電極５ｂに繋ぎ換えることを特徴とする。
【００１４】
バッテリー交換時のバックアップケーブルセット１は、新バッテリー５と共に、２本のケーブルを束ねたバックアップケーブル２と、２個のリング型金具３と、２個の結束バンド４を同梱したものである。
【００１５】
新バッテリー５は、車両に搭載されている旧バッテリー１７の寿命が近付いた時に、旧バッテリー１７と交換して新たに搭載するバッテリーであり、旧バッテリー１７と同規格のものを用意する。
【００１６】
バックアップケーブル２は、各ケーブルの一端が接続端子６で、他端がワニ口クリップ７であり、両端はケーブル同士が分離するが、中間は束ねられており、途中にヒューズボックス８が設けられる。
【００１７】
図２は、本考案であるバッテリー交換時のバックアップケーブルセットの接続端子を拡大した図である。
【００１８】
接続端子６は、バックアップケーブル２の先端のうち一方に設けた端子であり、板状の部材を差し込むことができる差込口６ａを有する。尚、金属部分を覆うために樹脂等のカバーを付ける。
【００１９】
図３は、本考案であるバッテリー交換時のバックアップケーブルセットのワニ口クリップを拡大した図である。
【００２０】
ワニ口クリップ７は、バックアップケーブル２の先端のうち接続端子６とは逆側に設けた部材であり、把持部７ｂを摘んで挟着部７ａを開き、間に挟んだ物をバネ等の弾性力により固着することができる。尚、本体はスチール製で電気を通すため、ポリ塩化ビニル等で覆って絶縁する。
【００２１】
図４は、本考案であるバッテリー交換時のバックアップケーブルセットのヒューズボックスを開いた状態を示す図である。
【００２２】
ヒューズボックス８は、バックアップケーブル２中に設けたヒューズ８ａとＬＥＤライト８ｂを収容するポリプロピレン等のケースである。尚、バックアップケーブル２の一方にヒューズ８ａを取り付け、両方から分岐させた線にＬＥＤライト８ｂを接続する。
【００２３】
ヒューズ８ａは、通常は導体として機能し、短絡等により回路に定格以上の大電流が流れると自らを切断し、電流が流れないように遮断する機器であり、容量が３Ａ（アンペア）の管ヒューズ等を用いる。
【００２４】
ＬＥＤライト８ｂは、順方向に電圧を加えると発光する半導体素子であるＬＥＤ（発光ダイオード）を用いた作業灯であり、バックアップケーブル２が正しく接続されているかを点灯により確認することができる。
【００２５】
図５は、本考案であるバッテリー交換時のバックアップケーブルセットのリング型金具を示す図である。
【００２６】
リング型金具３は、中央に孔３ａの空いた環状の金具に接続部３ｂを設けた銅などを素材とする部材であり、孔３ａを貫通させることで接触したものと、接続部３ｂを嵌着させることで接触したものを電気的に接続する。
【００２７】
図６は、本考案であるバッテリー交換時のバックアップケーブルセットの結束バンドを示す図である。
【００２８】
結束バンド４は、環状にして物を縛るためのポリプロピレン等で出来た平たい紐状の部材であり、一端に設けた挿通部４ａに他端を通していき、本体に付けたギザギザ状の凹凸部４ｃを挿通部４ａ内の突起４ｂに引っ掛けることで逆方向に抜けないように固定する。
【００２９】
図７は、本考案であるバッテリー交換時のバックアップケーブルセットによるバッテリー交換方法の流れを示す図である。
【００３０】
バッテリー交換方法１ａは、バックアップケーブルセット１を用いて、車両に搭載している旧バッテリー１７を、電源の供給を途絶えさせることなく、新バッテリー５に交換する方法である。
【００３１】
バッテリー交換方法１ａは、リング型金具取付け９、接続端子取付け１０、ワニ口クリップ取付け１１、ターミナル取外し１２、バッテリー交換１３、ターミナル取付け１４、ワニ口クリップ取外し１５、及び接続端子取外し１６等の手順からなる。
【００３２】
図８は、本考案であるバッテリー交換時のバックアップケーブルセットによるバッテリー交換方法におけるリング型金具取付けを示す図である。
【００３３】
リング型金具取付け９は、新バッテリー５のプラス電極５ａとマイナス電極５ｂのそれぞれにリング型金具３の孔３ａを通すことで取り付ける。尚、プラス側とマイナス側を目印等で区別しておくと分かりやすい。
【００３４】
図９は、本考案であるバッテリー交換時のバックアップケーブルセットによるバッテリー交換方法における接続端子取付けを示す図である。
【００３５】
接続端子取付け１０は、リング型金具３の接続部３ｂに、バックアップケーブル２の接続端子６の差込口６ａを嵌め込む。これにより、新バッテリー５とバックアップケーブル２とが接続される。
【００３６】
尚、バックアップケーブル２のプラス側と、新バッテリー５のプラス電極５ａに取り付けたリング型金具３とを接続し、バックアップケーブル２のマイナス側と、新バッテリー５のマイナス電極５ｂに取り付けたリング型金具３とを接続する。
【００３７】
新バッテリー５にバックアップケーブル２を繋ぐと、新バッテリー５とヒューズボックス８の間で通電し、ＬＥＤライト８ｂが点灯するので、バックアップケーブル２が破損していないか、プラス側とマイナス側を逆接していないか、ショートによりヒューズ８ａが切れていないか等を確認することができる。
【００３８】
図１０は、本考案であるバッテリー交換時のバックアップケーブルセットによるバッテリー交換方法におけるワニ口クリップ取付けを示す図である。
【００３９】
ワニ口クリップ取付け１１は、旧バッテリー１７を車両に接続しているターミナル１８に、バックアップケーブル２のワニ口クリップ７を取り付け、結束バンド４で縛り付けて固定する。
【００４０】
尚、バックアップケーブル２のプラス側と、旧バッテリー１７のプラス電極１７ａに接続されているターミナル１８とを繋ぎ、バックアップケーブル２のマイナス側と、旧バッテリー１７のマイナス電極１７ｂに接続されているターミナル１８とを繋ぐ。
【００４１】
これにより、ターミナル１８とバックアップケーブル２と新バッテリー５とが繋がり通電するので、ターミナル１８と旧バッテリー１７の接続に対して、並列構造の回路が形成される。
【００４２】
図１１は、本考案であるバッテリー交換時のバックアップケーブルセットによるバッテリー交換方法におけるターミナル取外しを示す図である。
【００４３】
ターミナル取外し１２は、旧バッテリー１７からターミナル１８を取り外す。最初にマイナス側のターミナル１８から外し、次にプラス側のターミナル１８を外す。尚、ターミナル１８とワニ口クリップ７はポリエチレン製の袋などに入れてスパークを防止する。
【００４４】
この時、車両には新バッテリー５から電源が供給されるが、ターミナル１８に取り付けたワニ口クリップ７が外れると電源供給が止まるので、結束バンド４による固定が確実である必要がある。
【００４５】
図１２は、本考案であるバッテリー交換時のバックアップケーブルセットによるバッテリー交換方法におけるバッテリー交換を示す図である。
【００４６】
バッテリー交換１３は、車両に搭載されている旧バッテリー１７を取り外して、新バッテリー５を車両に搭載する。尚、新バッテリー５とターミナル１８とは、まだ直接には繋がっておらず、バックアップケーブル２を介して仮に繋がっている状態である。
【００４７】
図１３は、本考案であるバッテリー交換時のバックアップケーブルセットによるバッテリー交換方法におけるターミナル取付けを示す図である。
【００４８】
ターミナル取付け１４は、新バッテリー５にターミナル１８を取り付け、車両と直接に接続する。尚、最初にプラス側のターミナル１８を新バッテリー５のプラス電極５ａに繋ぎ、次にマイナス側のターミナル１８を新バッテリー５のマイナス電極５ｂに繋ぐ。
【００４９】
図１４は、本考案であるバッテリー交換時のバックアップケーブルセットによるバッテリー交換方法におけるワニ口クリップ取外しを示す図である。
【００５０】
ワニ口クリップ取外し１５は、結束バンド４を切断し、ターミナル１８からワニ口クリップ７を取り外す。尚、先にマイナス側のワニ口クリップ７を外し、次にプラス側のワニ口クリップ７を外す。
【００５１】
図１５は、本考案であるバッテリー交換時のバックアップケーブルセットによるバッテリー交換方法における接続端子取外しを示す図である。
【００５２】
接続端子取外し１６は、リング型金具３から接続端子６を引き抜き、新バッテリー５からバックアップケーブル２を取り外す。尚、リング型金具３は新バッテリー５のプラス電極５ａ及びマイナス電極５ｂに付けたままとなるが、特に支障はないためそのまま残す。
【００５３】
バッテリー交換方法１ａは、個人でも簡単にできるバッテリー交換を実現するもので、不安定なシガーライタソケットは用いずに、確実に電源供給を維持し、メモリー消失等の障害を回避することが可能である。
【図面の簡単な説明】
【００５４】
【図１】本考案であるバッテリー交換時のバックアップケーブルセットの構成を示す図である。
【図２】本考案であるバッテリー交換時のバックアップケーブルセットの接続端子を拡大した図である。
【図３】本考案であるバッテリー交換時のバックアップケーブルセットのワニ口クリップを拡大した図である。
【図４】本考案であるバッテリー交換時のバックアップケーブルセットのヒューズボックスを開いた状態を示す図である。
【図５】本考案であるバッテリー交換時のバックアップケーブルセットのリング型金具を示す図である。
【図６】本考案であるバッテリー交換時のバックアップケーブルセットの結束バンドを示す図である。
【図７】本考案であるバッテリー交換時のバックアップケーブルセットによるバッテリー交換方法の流れを示す図である。
【図８】本考案であるバッテリー交換時のバックアップケーブルセットによるバッテリー交換方法におけるリング型金具取付けを示す図である。
【図９】本考案であるバッテリー交換時のバックアップケーブルセットによるバッテリー交換方法における接続端子取付けを示す図である。
【図１０】本考案であるバッテリー交換時のバックアップケーブルセットによるバッテリー交換方法におけるワニ口クリップ取付けを示す図である。
【図１１】本考案であるバッテリー交換時のバックアップケーブルセットによるバッテリー交換方法におけるターミナル取外しを示す図である。
【図１２】本考案であるバッテリー交換時のバックアップケーブルセットによるバッテリー交換方法におけるバッテリー交換を示す図である。
【図１３】本考案であるバッテリー交換時のバックアップケーブルセットによるバッテリー交換方法におけるターミナル取付けを示す図である。
【図１４】本考案であるバッテリー交換時のバックアップケーブルセットによるバッテリー交換方法におけるワニ口クリップ取外しを示す図である。
【図１５】本考案であるバッテリー交換時のバックアップケーブルセットによるバッテリー交換方法における接続端子取外しを示す図である。
【符号の説明】
【００５５】
１        バッテリー交換時のバックアップケーブルセット
１ａ      バッテリー交換方法
２        バックアップケーブル
３        リング型金具
３ａ      孔
３ｂ      接続部
４        結束バンド
４ａ      挿通部
４ｂ      突起
４ｃ      凹凸部
５        新バッテリー
５ａ      プラス電極
５ｂ      マイナス電極
６        接続端子
６ａ      差込口
７        ワニ口クリップ
７ａ      挟着部
７ｂ      把持部
８        ヒューズボックス
８ａ      ヒューズ
８ｂ      ＬＥＤライト
９        リング型金具取付け
１０        接続端子取付け
１１        ワニ口クリップ取付け
１２        ターミナル取外し
１３        バッテリー交換
１４        ターミナル取付け
１５        ワニ口クリップ取外し
１６        接続端子取外し
１７        旧バッテリー
１７ａ      プラス電極
１７ｂ      マイナス電極
１８        ターミナル
【図１】
0003147755.tif 000003
【図２】
0003147755.tif 000004
【図３】
0003147755.tif 000005
【図４】
0003147755.tif 000006
【図５】
0003147755.tif 000007
【図６】
0003147755.tif 000008
【図７】
0003147755.tif 000009
【図８】
0003147755.tif 000010
【図９】
0003147755.tif 000011
【図１０】
0003147755.tif 000012
【図１１】
0003147755.tif 000013
【図１２】
0003147755.tif 000014
【図１３】
0003147755.tif 000015
【図１４】
0003147755.tif 000016
【図１５】
0003147755.tif 000017